(57)【要約】【課題】  単一の画像形成装置が連結され、第１画像形成装置で記録材第１面をプリントし、第２画像形成装置で記録材第２面をプリントする複連式画像形成装置において、記録材第１面の光沢段差、又は記録材第１面と記録材第２面との光沢差を低減することを課題とする。【解決手段】  ２番目以降に画像を形成する第２画像形成装置の定着装置の加熱部材温度、又は加圧部材温度、又は外部加熱部材温度は、それぞれ最初（第１）に画像を形成する第１画像形成装置の定着装置の加熱部材温度、又は加圧部材温度、又は外部加熱部材温度よりも低く設定する【選択図】  図１
2012098654.tif 000002
【特許請求の範囲】
【請求項１】
感光体、帯電装置、露光装置、着色粒子（現像剤、トナー）、現像装置、前記着色粒子を記録材に転写する転写装置、前記着色粒子を記録媒体に定着させるための加熱部材と加圧部材により定着ニップ部を形成した定着装置、を有する画像形成装置を複数台、ジョイント部を用いて接続する複連式画像形成装置において、
２番目以降に画像を形成する第２画像形成装置の定着装置の加熱部材温度、又は加圧部材温度、又は外部加熱部材温度は、それぞれ最初（第１）に画像を形成する第１画像形成装置の定着装置の加熱部材温度、又は加圧部材温度、又は外部加熱部材温度よりも低く設定することを特徴とする複連式画像形成装置。
【請求項２】
最初（第１）の画像形成装置で記録材の片面（第１面）の画像形成を行い、その後、記録材を反転して、次（第２）の画像形成装置で記録材の他片面（第２面）の画像形成を行い、両面プリント枚数を従来の１台の出力枚数と比較して、倍化する複連式画像形成装置において、
「第１画像形成装置の定着装置の加圧部材温度＞第２画像形成装置の定着装置の加圧部材温度」とすることを特徴とする請求項１に記載の複連式画像形成装置。
【請求項３】
スタンバイ（待機）時は、加熱部材と加圧部材とが非接触となるように圧力を解除（脱）し、プリント時は、加熱部材と加圧部材とが所定の圧力で接触（着）して、定着ニップ部を形成する脱着手段を具備した定着装置を有する複連式画像形成装置において、
プリント開始時に、加熱部材と加圧部材とが接触（着）して回転してから、定着ニップ部に記録材が搬送されるまでの時間（前回転時間１）は、「第１画像形成装置の定着装置の前回転時間１＞第２画像形成装置の定着装置の前回転時間１」とすることを特徴とする請求項２に記載の複連式画像形成装置。
【請求項４】
最初（第１）の画像形成装置で記録材の片面（第１面）の画像形成を行い、その後、記録材を反転して、次（第２）の画像形成装置で記録材の他片面（第２面）の画像形成を行い、両面プリント枚数を従来の１台の出力枚数と比較して、倍化する複連式画像形成装置において、
「第１画像形成装置の定着装置の加熱部材温度＞第２画像形成装置の定着装置の加熱部材温度」とすることを特徴とする請求項１に記載の複連式画像形成装置。
【請求項５】
加熱部材の表面に接触して、定着ニップ部を通過した加熱部材表面の部位を、外部から加熱する外部加熱部材を具備した定着装置を有する複連式画像形成装置において、
「第１画像形成装置の定着装置の外部加熱部材温度＞第２画像形成装置の定着装置の外部加熱部材温度」とすることを特徴とする請求項４に記載の複連式画像形成装置。
【請求項６】
スタンバイ（待機）時は、加熱部材と外部加熱部材とが非接触となるように圧力を解除（脱）し、プリント時は、加熱部材と外部加熱部材とが所定の圧力で接触（着）して、外部加熱ニップ部を形成する脱着手段を具備した定着装置を有する複連式画像形成装置において、
プリント開始時に、加熱部材と外部加熱部材とが接触（着）して外部加熱ニップ部を形成して回転してから、定着ニップ部に記録材が搬送されるまでの時間（前回転時間２）は、「第１画像形成装置の定着装置の前回転時間２＞第２画像形成装置の定着装置の前回転時間２」とすることを特徴とする請求項５に記載の複連式画像形成装置。
【発明の詳細な説明】
【技術分野】
【０００１】
本発明は、電子写真方式の画像形成装置（複写機、プリンタ、複合機、ファクシミリ等）に係り、特に、前記画像形成装置を複数台連結して画像形成を行う複連式画像形成装置に関する。
【背景技術】
【０００２】
従来、電子写真方式を用いた画像形成装置は、着色粒子（現像剤、トナー）を感光体等の画像担持体表面に可視化画像として付着させる現像装置、画像として付着したトナーを用紙等の記録材に転写する転写装置、そのトナーを記録材上に固着させる定着装置を備える。
【０００３】
一般に、電子写真方式の定着装置においては、内部に熱源を有した加熱部材としての定着ローラをトナー像面側に接触させ、同時に加圧部材としての加圧ローラで圧力を付加して、この両ローラ間にトナー像を担持した記録材を搬送することにより、記録材上にトナー像の定着を行う熱ローラ方式の定着装置が用いられている。さらに、定着性（記録材とトナーとの接着力）を高めるために、加圧ローラ内部にも熱源を有した加圧ローラが実用化されている。
【０００４】
又、近年、複写機やプリンタ、複合機等の画像形成装置においては、更なる高速化、高画質化、カラー化、省エネルギー化等が要求されている。
【０００５】
そこで、このような画像形成装置の中には、複数台の画像形成装置の間に記録材を搬送するリレーユニットを設けて画像形成を行う方式が提案されている。
【０００６】
この方式の画像形成装置では、帯電、露光、現像、転写、定着の各装置が複数台分設置されているため、最初の画像形成装置で記録材の片面（第１面）の画像形成を行い、その後、記録材を反転して、次の画像形成装置で記録材の反対面（第２面）の画像形成を行うことにより、両面プリントの出力ページ枚数を従来の１台の出力ページ枚数と比較して倍化して、高速化を図ることが提案されている。
【０００７】
このような複連式の画像形成装置は、１台のみで画像形成装置として成立する画像形成装置を、即ち、同じ画像形成装置を、リレーユニットで複数台連結することにより、新規にハード設計すること無しに、容易に複連式画像形成装置として製品化することが可能である。
【０００８】
この複連式画像形成装置においては、例えば下記のような特許文献を挙げることができる。
【０００９】
特許文献１は、最初に画像を形成する第１画像形成装置の定着装置の定着温度を、後続で画像を形成する画像形成装置の定着装置の定着温度よりも低く設定することにより、オフセット現象を防止することを提案している。
【先行技術文献】
【特許文献】
【００１０】
【特許文献１】特開２００８−１０７６９０号公報
【発明の概要】
【発明が解決しようとする課題】
【００１１】
前述したように単一の画像形成装置を２台連結した複連式画像形成装置により、両面プリント時の生産性を、従来の１台の時と比較して、２倍に向上させることができた。
【００１２】
しかしながら、特に、定着性を向上させるために加圧ローラ内部に熱源を有する定着装置においては、第２画像形成装置の定着装置で記録材第２面を定着する時、記録材第１面で加圧ローラ周期の光沢（グロス）ムラという問題が発生する。
【００１３】
これは、加圧ローラがスタンバイ時に高温に維持され、さらに加圧ローラが定着ローラに圧接して回転する前回転で定着ローラによって加圧ローラがさらに加熱されて温度が上昇する。そして、記録材が定着ニップ部を通過することにより、記録材に加圧ローラの熱が急激に奪われて、加圧ローラ温度が低下する。よって、記録材第１面の加圧ローラ１周目は高温の加圧ローラによって、トナーが再溶融して光沢度が大きく上昇して光沢度が高くなり、加圧ローラ１周後は低温化した加圧ローラによって、トナーが再溶融しにくいので、光沢度の上昇は小さいため光沢度の変化は小さい。従って、第２画像形成装置で記録材第２面が定着された画像は、記録材第１面に光沢段差が発生して、画像品質が低下してしまう。
【００１４】
又、加圧ローラ内部に熱源を有しない定着装置においては、加圧ローラ温度が低温のため、記録材第１面のトナーが再溶融しにくいので、記録材第１面の加圧ローラ温度起因の光沢ムラは発生しにくい。
【００１５】
しかしながら、第２画像形成装置で記録材第２面が定着された出力画像は、記録材の第１面と第２面の光沢差という問題が発生する。
【００１６】
これは、第１画像形成装置で記録材第１面を定着する時は、記録材温度が低温（室温）で定着されるため、光沢度が比較的に低い。一方、第２画像形成装置で記録材第２面を定着する時は、記録材が第１画像形成装置の定着装置で一度加熱され、記録材温度が高温の状態で記録材第２面が定着されるため、光沢度が比較的に高くなる。よって、第２画像形成装置で記録材第２面が定着された出力画像は、記録材第１面の光沢度が低く、記録材第２面の光沢度が高くなる光沢差が発生して、画像品質が低下してしまう。
【００１７】
上記２点の問題は、加圧ローラ温度が低下しやすい厚紙、又は光沢度が高い平滑紙やグロスコート紙で発生し易い。
【００１８】
そこで本発明は、複連式画像形成装置において、両面プリント時における記録材第１面の加圧ローラ温度起因の光沢ムラ（光沢段差）を防止して、記録材第１面の光沢均一性の向上を図り、又、記録材の第１面と第２面の光沢差を防止して、記録材の第１面と第２面の光沢均一性の向上を図る複連式画像形成装置を提供することを目的とする。
【課題を解決するための手段】
【００１９】
上記目的は、下記の本発明に複連式画像形成装置にて達成される。
【００２０】
感光体、帯電装置、露光装置、着色粒子（現像剤、トナー）、現像装置、前記着色粒子を記録材に転写する転写装置、前記着色粒子を記録媒体に定着させるための加熱部材と加圧部材により定着ニップ部を形成した定着装置、を有する画像形成装置を複数台、ジョイント部を用いて接続する複連式画像形成装置において、２番目以降に画像を形成する第２画像形成装置の定着装置の加熱部材温度、又は加圧部材温度、又は外部部材加熱温度は、それぞれ最初（第１）に画像を形成する第１画像形成装置の定着装置の加熱部材温度、又は加圧部材温度、又は外部加熱部材よりも低く設定することを特徴とする複連式画像形成装置。
【００２１】
最初（第１）の画像形成装置で記録材の片面（第１面）の画像形成を行い、その後、記録材を反転して、次（第２）の画像形成装置で記録材の他片面（第２面）の画像形成を行い、両面プリント枚数を従来の１台の出力枚数と比較して、倍化する複連式画像形成装置において、「第１画像形成装置の定着装置の加圧部材温度＞第２画像形成装置の定着装置の加圧部材温度」とすることを特徴とする上記（１）記載の複連式画像形成装置。
【００２２】
スタンバイ（待機）時は、加熱部材と加圧部材とが非接触となるように圧力を解除（脱）し、プリント時は、加熱部材と加圧部材とが所定の圧力で接触（着）して、定着ニップ部を形成する脱着手段を具備した定着装置を有する複連式画像形成装置において、プリント開始時に、加熱部材と加圧部材とが接触（着）して回転してから、定着ニップ部に記録材が搬送されるまでの時間（前回転時間１）は、「第１画像形成装置の定着装置の前回転時間１＞第２画像形成装置の定着装置の前回転時間１」とすることを特徴とする上記（２）記載の複連式画像形成装置。
【００２３】
最初（第１）の画像形成装置で記録材の片面（第１面）の画像形成を行い、その後、記録材を反転して、次（第２）の画像形成装置で記録材の他片面（第２面）の画像形成を行い、両面プリント枚数を従来の１台の出力枚数と比較して、倍化する複連式画像形成装置において、「第１画像形成装置の定着装置の加熱部材温度＞第２画像形成装置の定着装置の加熱部材温度」とすることを特徴とする上記（１）記載の複連式画像形成装置。
【００２４】
加熱部材の表面に接触して、定着ニップ部を通過した加熱部材表面の部位を、外部から加熱する外部加熱部材を具備した定着装置を有する複連式画像形成装置において、「第１画像形成装置の定着装置の外部加熱部材温度＞第２画像形成装置の定着装置の外部加熱部材温度」とすることを特徴とする上記（４）記載の複連式画像形成装置。
【００２５】
スタンバイ（待機）時は、加熱部材と外部加熱部材とが非接触となるように圧力を解除（脱）し、プリント時は、加熱部材と外部加熱部材とが所定の圧力で接触（着）して、外部加熱ニップ部を形成する脱着手段を具備した定着装置を有する複連式画像形成装置において、プリント開始時に、加熱部材と外部加熱部材とが接触（着）して外部加熱ニップ部を形成して回転してから、定着ニップ部に記録材が搬送されるまでの時間（前回転時間２）は、「第１画像形成装置の定着装置の前回転時間２＞第２画像形成装置の定着装置の前回転時間２」とすることを特徴とする上記（５）記載の複連式画像形成装置。
【発明の効果】
【００２６】
本発明によれば、前述した複連式画像形成装置において、第２画像形成装置の定着装置の加圧部材温度を、第１画像形成装置の定着装置の加圧部材温度よりも低く設定することにより、両面プリント時における記録材第１面の加圧ローラ温度起因の光沢ムラ（光沢段差）を低減して、記録材第１面の光沢均一性の向上を図る複連式画像形成装置を提供することができる。この時、第２画像形成装置の定着装置の加圧部材温度を低く設定しても、記録材が第１画像形成装置の定着装置によって加熱され、高温の状態で第２画像形成装置の定着装置に搬送されるため、記録材第２面の定着性は、記録材第１面の定着性と同等以上である。
【００２７】
又、定着ニップ部を形成する脱着手段を具備した定着装置を有する複連式画像形成装置において、第２画像形成装置の定着装置の前回転時間１を、第１画像形成装置の定着装置の前回転時間１よりも短くすることにより、第２画像形成装置の定着装置の前回転時間１において、加熱部材が加圧部材を昇温させることを防止し、第２画像形成装置の定着装置の加圧部材温度を、第１画像形成装置の定着装置の加圧部材温度よりも低くすることが可能となる。よって、両面プリント時における記録材第１面の加圧ローラ温度起因の光沢ムラ（光沢段差）を低減して、より記録材第１面の光沢均一性の向上図る複連式画像形成装置を提供することができる。
【００２８】
さらに、前述した複連式画像形成装置において、第２画像形成装置の定着装置の加熱部材温度を、第１画像形成装置の定着装置の加熱部材温度よりも低く設定することにより、両面プリント時における第１面と第２面の光沢差を低減して、記録材の第１面と第２面の光沢均一性の向上を図る複連式画像形成装置を提供することができる。この時、第２画像形成装置の定着装置の加熱部材温度を低く設定しても、記録材が第１画像形成装置の定着装置によって加熱され、高温の状態で第２画像形成の定着装置に搬送されるため、記録材第２面の定着性は、記録材第１面の定着性とほぼ同等である。
【００２９】
又、外部加熱部材を具備した定着装置を有する複連式画像形成装置において、第２画像形成装置の定着装置の外部加熱部材温度を、第１画像形成装置の定着装置の外部加熱部材温度よりも低く設定することにより、第２画像形成装置の定着装置の加熱部材温度を、第１画像形成装置の定着装置の加熱部材温度よりも安定して低く設定することができる。よって両面プリント時における第１面と第２面の光沢差を低減して、より記録材の第１面と第２面の光沢均一性の向上を図る複連式画像形成装置を提供することができる。
【００３０】
又、外部加熱ニップ部を形成する脱着手段を具備した定着装置を有する複連式画像形成装置において、第２画像形成装置の定着装置の前回転時間２を、第１画像形成装置の定着装置の前回転時間２よりも短くすることにより、第２画像形成装置の定着装置の前回転時間２において、外部加熱部材が加熱部材を昇温させることを防止し、第２画像形成装置の定着装置の加熱部材温度を、第１画像形成装置の定着装置の加熱部材温度よりも安定して低くすることが可能となる。よって両面プリント時における第１面と第２面の光沢差を低減して、より記録材の第１面と第２面の光沢均一性の向上を図る複連式画像形成装置を提供することができる。
【図面の簡単な説明】
【００３１】
【図１】本発明の実施例１に係る複連式画像形成装置の概略構成図である。
【図２】本発明の実施例１に係る他のリレーユニットの概略構成図である。
【図３】本発明の実施例１に係る他の画像形成部の概略構成図である。
【図４】本発明の実施例１に係る定着装置の概略構成図である。
【図５】本発明の実施例１に係る定着ローラ、又は加圧ローラの概略構成図である。
【図６】本発明の実施例３に係る定着装置の概略構成図である。
【図７】本発明の実施例４に係る定着装置の概略配置図である。
【発明を実施するための形態】
【００３２】
添付図面に基づき本発明における実施例に関して図１〜図７を用いて説明する。なお、これらの図面において、同一部材は同一符号を付しており、重複した説明は省略する。
【００３３】
［実施例１］
＜複連式画像形成装置＞
図１は、本発明の実施例１に係る複連式画像形成装置の概略構成図である。
【００３４】
図１の複連式画像形成装置は、第１画像形成装置１０１と第２画像形成装置１０２がリレーユニット３０１により連結され、一つの画像形成装置として機能する構成である。なお、第１画像形成装置１０１と第２画像形成装置１０２は、同一の画像形成装置であり、各々、単体で画像形成装置として機能する構成となっており、第１と第２に区別するために別符号としている。
【００３５】
単体でも画像形成装置として機能することにより、１つの画像形成装置を設計することにより、単体画像形成装置と複連式画像形成装置の両方に使用できる利点を持つ。
図１の複連式画像形成装置は、単色（例えば白黒）画像形成装置であり、この画像形成部に関して説明する。
【００３６】
第１画像形成装置１０１の像担持体としての感光ドラム１は、矢印方向に回転して、帯電装置としてのバイアス印加された帯電ローラ２により、所定の電位に一様均一に帯電される。露光装置３は、コピー機能の場合には、画像読取装置としてのスキャナー８により原稿を読み取って、その原稿画像に応じて、レーザー光等の露光光を感光ドラム１に照射する。プリント機能やＦＡＸ機能の場合には、不図示のパーソナルコンピュータや電話回線からの画像情報を、画像受信装置としてのコントローラ９で受信して、その受信画像に応じて、露光光を感光ドラム１に照射する。感光ドラム１上の露光光が照射された部位は電位が減少して静電潜像を形成し、現像装置４のトナーＫにより感光ドラム１上にトナー画像が形成される。
【００３７】
ここで、第１画像形成装置１０１の給紙カセット２０、又は２１、２２から取り出された記録材Ｐは、経路Ａから感光ドラム１と転写ローラ５との転写ニップ部に感光ドラム１上のトナー画像にタイミングを合わせて搬送される。バイアス印加された転写ローラ５により、感光ドラム１上のトナー画像は、記録材Ｐ上に転写される。
【００３８】
転写後の感光ドラム１上の転写残トナーは、ブレード又はブラシ等が配置された感光ドラムクリーニング装置６により回収される。そして、転写残トナーが除去された感光ドラム１は、再び帯電ローラ２により一様均一に帯電されて繰り返し画像形成に供される。
【００３９】
トナー画像を担持した記録材Ｐは、定着装置２０１に搬送され、加熱及び加圧を受けて、記録材Ｐの第１面にトナー画像が定着され、経路Ｂからリレーユニット３０１に搬送される。
【００４０】
経路Ｂからリレーユニット３０１に搬送された記録材Ｐは、経路Ｃ及び経路Ｄにより反転（スイッチバック）され、記録材Ｐの第１面の後端が第２面の先端に変更されて、経路Ｅから、記録材第１面と反対面である記録材第２面に画像を形成するために、第２画像形成装置１０２に搬送される。
【００４１】
第２画像形成装置１０２の画像形成部は、第１画像形成装置１０１と同様であり、前述した画像形成手順により、感光ドラム１と転写ローラ５の転写ニップ部に記録材Ｐが搬送され、記録材第２面にトナー画像が転写される。トナー画像を担持した記録材Ｐは、定着装置２０２に搬送され、加熱及び加圧を受けて、記録材Ｐの第２面にトナー画像が定着され、経路Ｆから機外に排出され、両面プリント画像を得る。なお、定着装置２０１と定着装置２０２は、同一の定着装置であり、第１と第２に区別するために別符号としている。
【００４２】
図１は、リレーユニット３０１において、スイッチバックすることにより、記録材Ｐを反転させる構成である。ここで、記録材Ｐをスイッチバックするのに時間を要するため、第１画像形成装置１０１及び第２画像形成装置１０２の記録材搬送速度が例えば５００ｍｍ／ｓｅｃの場合には、リレーユニット３０１の記録材搬送速度を例えば１５００ｍｍ／ｓｅｃに増速することにより、スイッチバックによる生産性低下を防止できる。この場合には、第１画像形成装置１０１からのリレーユニット３０１入口で記録材搬送速度を、５００→１５００ｍｍ／ｓｅｃに増速して、スイッチバックを行い、第２画像形成装置へのリレーユニット３０１出口で記録材搬送速度を、１５００→５００ｍｍ／ｓｅｃに減速する動作となる。
【００４３】
又、リレーユニットは、スイッチバック以外の反転方法を用いた、例えば図２のリレーユニット３０２を採用しても良い。
【００４４】
図２のリレーユニット３０２は、第１画像形成装置１０１から経路Ｂより搬送された記録材Ｐの進行方向を維持して、記録材Ｐを回転（Ｇ、右回転又は左回転）させることにより、第１面の先端が第２面の先端となるように記録材Ｐを反転させ、経路Ｅから、第２画像形成装置１０２に搬送する構成である。
【００４５】
図２のリレーユニット３０２は、記録材の第１面と第２面の先端部の画像書き出し位置を精度良く合わせることが可能なため、画像位置精度が要求される場合には、より好適である。
【００４６】
又、画像形成装置にフェイスダウン（スイッチバック）機能を持つ場合には、第１画像形成装置１０１の定着装置２０１の下流において、記録材をスイッチバックさせた後、経路Ｂによりリレーユニットに搬送し、リレーユニットは反転機能を持たずに、記録材を第２画像形成装置１０２に搬送するのみの機能とする構成でも良い。
【００４７】
図１の複連式画像形成装置は、単色画像形成装置を２個連結した構成であるが、カラー画像形成装置を２個連結した構成でも良い。図３にカラー画像形成装置の画像形成部を示す。
【００４８】
図３に示す画像形成部は、それぞれ色の異なる４色のトナー像を形成する４個の画像形成ユニットＹ（イエロー）・Ｍ（マゼンタ）・Ｃ（シアン）・Ｂｋ（ブラック）が配置される。そして、これらの画像形成ユニットを縦貫するようにして、中間転写体としての中間転写ベルト１０が配置されている。
【００４９】
これら４個の画像形成ユニットＹ・Ｍ・Ｃ・Ｂｋは、同様の構成であり、以下では、代表してイエロー画像形成ユニットＹの構成を説明する。他の画像形成ユニットについては、画像形成ユニットＹと同一の構成及び作用の部材には同じ番号を付し、各ユニットを示す添え字を変更する。
【００５０】
像担持体として、例えば表層がＯＰＣ（有機光半導体）からなる円筒型の電子写真感光体（以下「感光ドラム」と称する。）１Ｙは、矢印方向へ回転駆動される。２Ｙは、感光ドラム１Ｙの表面を一様均一に帯電する帯電ローラである。所定のバイアスが印加された帯電ローラ２Ｙは、感光ドラム１Ｙと接触従動回転して、感光ドラム１Ｙ表面を所定の電位に帯電する。帯電された感光ドラム１Ｙは、露光装置３Ｙによる露光光（レーザー光等）による露光が行われて、入力原稿の色分解画像に対応した静電潜像が形成される。現像装置４Ｙは、現像ローラで帯電したトナーを用いて静電潜像の現像を行い、静電潜像に対応したトナー像を、感光ドラム１Ｙ表面に形成する。感光ドラム１Ｙ上のトナー像は、感光ドラム１Ｙと１次転写ローラ５Ｙとの１次転写ニップ部Ｔ１Ｙにおいて、１次転写ローラ５Ｙにより、感光ドラム１Ｙの周速とほぼ同速度で回転している中間転写ベルト１０上に１次転写される。
【００５１】
１次転写後の感光ドラム１Ｙ上の１次転写残トナーは、ブレード又はブラシ等が配置された感光ドラムクリーニング装置６Ｙにより回収される。そして、１次転写残トナーが除去された感光ドラム１Ｙは、再び帯電ローラ２Ｙにより一様均一に帯電されて繰り返し画像形成に供される。
【００５２】
中間転写ベルト１０は、支持ローラ１１、駆動ローラ１２、バックアップローラ１３に張架される。そして、４個の画像形成ユニットＹ・Ｍ・Ｃ・Ｂｋの感光ドラム１Ｙ・１Ｍ・１Ｃ・１Ｂｋに接触しながら、駆動ローラ１２の矢印方向の回転により回転駆動される。
【００５３】
フルカラーモード（フルカラー画像形成）が選択されている場合は、前記の画像形成動作が４個の画像形成ユニットＹ・Ｍ・Ｃ・Ｂｋにて実行される。そして、感光ドラム１Ｙ・１Ｍ・１Ｃ・１Ｂｋ上にそれぞれ形成されたイエロートナー像・マゼンタトナー像・シアントナー像・ブラックトナー像が中間転写ベルト１０上に順次多重転写される。なお、色順は上記に限定されず画像形成装置により任意である。
【００５４】
そして、中間転写ベルト１０上に多重転写された４色のトナー像は、バックアップローラ１３と２次転写ローラ１４との２次転写ニップ部Ｔ２で、２次転写ローラ１４により、記録材Ｐへ一括して２次転写される。又、記録材Ｐは、第１画像形成装置の給紙カセット２０、又は２１、２２内から一枚分離給送され、レジストローラ対（不図示）によって、２次転写ニップ部Ｔ２に中間転写ベルト１０上の多重転写トナー画像に合わせた所定の制御タイミングで供給される。
【００５５】
トナー画像が転写された記録材Ｐは、定着装置２０１に導入され、記録材Ｐ上のトナー像が加圧・加熱されて記録材Ｐ上にフルカラートナー画像が定着される。
【００５６】
２次転写後の中間転写ベルト１０上の２次転写残トナーは、ブレード又はブラシ等が配置された中間転写クリーニング装置１５により回収される。そして、２次転写残トナーが除去された中間転写ベルト１０は、繰り返し１次転写に供される。
【００５７】
又、図３のカラー画像形成部において、例えば黒単色のモノカラー画像形成や２〜３色モードの場合は、必要な色の画像形成ユニットにおいて感光ドラムに対する画像形成が実行される。この時、不必要な画像形成ユニットにおける感光ドラムは空回転される。そして、そのトナー画像が１次転写部Ｔ１にて中間転写ベルト１０上に１次転写され、さらに２次転写部Ｔ２にて記録材Ｐに２次転写され、定着装置２０１へ導入される動作が実行される。
【００５８】
以上、複連式画像形成装置における両面プリント動作に関して説明した。
【００５９】
複連式画像形成装置における片面プリントの場合には、様々な動作が考えられるが、一例を説明する。
【００６０】
片面プリント枚数が少ない場合には、第１画像形成装置１０１は休止させ、第２画像形成装置１０２のみを動作させて、第２画像形成装置の給紙カセット２０、又は２１、２２のいずれかから取り出した記録材Ｐが経路Ｉから画像形成部に搬送され、経路Ｆから機外に排出させて、片面プリントを実行する。
【００６１】
片面プリント枚数が多い場合には、第１画像形成装置１０１と第２画像形成装置１０２とに振り分けてプリントして、各々経路Ｈ及び経路Ｆから機外に排出させて、片面プリントを実行すると生産性が高くなるので好適である。
【００６２】
＜定着装置＞
図４は、実施例１に係る定着装置２０１（２０２）の概略構成図である。
【００６３】
図４で示す定着装置２０１（２０２）は、トナー画像の加熱部材としての定着ローラ２１１、加圧部材としての加圧ローラ２１２で構成される。
【００６４】
図４に示す定着ローラ２１１は、不図示の駆動源によって、矢印方向に所定の速度、例えば５００ｍｍ／ｓｅｃの周速で回転駆動される。
【００６５】
図５は、定着ローラ２１１又は加圧ローラ２１２の概略構成図である。定着ローラ２１１と２１２は、ほぼ同一構成のため、同一図に示す。
【００６６】
図５に示す定着ローラ２１１は、外径７４ｍｍ、厚み６ｍｍ、長さ３５０ｍｍの円筒状金属製（本実施例ではアルミニウム製）の芯金２１１ａを備える。芯金２１１ａ上には、耐熱性の弾性層２１１ｂとして、シリコーンゴム（本実施例ではＪＩＳ−Ａ硬度１５度）が３ｍｍの厚さで被覆されている。耐熱弾性層２１１ｂ上には、トナーとの離型性向上のため、耐熱性の離型層２１１ｃとしてフッ素樹脂（本実施例ではＰＦＡチューブ）が１００μｍの厚さで被覆されている。
【００６７】
又、定着ローラ２１１の芯金２１１ａの内部には、発熱体として、例えば定格電力１５００Ｗのハロゲンヒータ２１３が配置され、定着ローラ２１１の表面温度が所定の目標温度となるように内部から加熱されている。
【００６８】
定着ローラ２１１の表面温度は、定着ローラ２１１の通紙部の温度検知手段としてのサーミスタ２２１によって検出される。そして、この検出温度に基づいて、制御手段１３０によりハロゲンヒータ２１３をＯＮ／ＯＦＦ制御することで、所定の目標温度、例えば２００℃に温度制御される。
【００６９】
図５で示す定着ローラ２１１は、特にカラー画像形成装置に採用され、トナー画像表面を均一に溶融可能なため、均一な光沢の高品質なカラー画像を得ることができる。また、白黒画像形成装置においても、特にベタ黒画像で均一な光沢の高品質な白黒画像を得ることができるため、本実施例では、図５の定着ローラ２１１を採用した。
【００７０】
白黒画像形成装置の定着ローラは、コストや寿命等の点から、耐熱弾性層２１１ｂが無く、芯金２１１ａ上に離型層２１１ｃを被覆した構成を採用することが多い。しかしながら、耐熱弾性層２１１ｂが無い定着ローラは、トナー画像と微小な接触ムラが発生するため、微小な光沢ムラが発生して、均一な光沢の画像を得ることができない。
【００７１】
図４に示す加圧ローラ２１２は、不図示の加圧手段により、定着ローラ２１１に所定圧力で加圧され、定着ローラ２１１と定着ニップ部Ｎ１を形成し、矢印方向に定着ローラ２１１と従動回転される。本実施例では、定着ニップ部Ｎ１の周方向の幅は、約１０ｍｍである。
【００７２】
図５に示す加圧ロー２１２は、外径５４ｍｍ、厚み３ｍｍ、長さ３５０ｍｍの円筒状金属製（本実施例ではステンレス製）の芯金２１２ａを備える。芯金２１２ａ上には、耐熱性の弾性層２１２ｂとして、シリコーンゴム（本実施例ではＪＩＳ−Ａ硬度２０度）が３ｍｍの厚さで被覆されている。耐熱弾性層２１２ｂ上には、トナーとの離型性向上のため、耐熱性の離型層２１２ｃとしてフッ素樹脂（本実施例ではＰＦＡチューブ）が１００μｍの厚さで被覆されている。
【００７３】
又、加圧ローラ２１２の芯金２１２ａの内部には、発熱体として、例えば定格電力４００Ｗのハロゲンヒータ２１４が配置され、加圧ローラ２１２の表面温度が所定温度となるように内部から加熱されている。
【００７４】
加圧ローラ２１２の表面温度は、加圧ローラ２１２の通紙部の温度検知手段としてのサーミスタ２２２によって検出される。そして、この検出温度に基づいて、制御手段１３０によりハロゲンヒータ２１４をＯＮ／ＯＦＦ制御することで、所定の目標温度、例えば１５０℃に温度制御される。
【００７５】
＜記録材第１面の加圧ローラ温度起因の光沢ムラ問題＞
図１の複連式画像形成装置における両面プリント時に、第２画像形成装置１０２の定着装置２０２において、記録材第１面の加圧ローラ温度起因の光沢ムラという問題が発生した。
【００７６】
この問題は、１枚目の両面プリント時において、記録材第２面の定着時、即ち定着装置２０２において、記録材第１面の先端から加圧ローラ１周分（約１８９ｍｍ）は画像の光沢が高く、記録材第１面の先端から加圧ローラ１周分以降は画像の光沢が低くなり、記録材第１面の画像に光沢段差が発生してしまう問題である。
【００７７】
これは、定着装置２０２において、加圧ローラ１周目温度は１５０℃で温度が高いので、記録材第１面のトナー画像を再溶融するため、光沢が上昇して高くなる。そして、加圧ローラ１周目で記録材Ｐに加圧ローラ２１２表面の熱が奪われ、加圧ローラ２１２の耐熱弾性層２１２ｂによる芯金２１２ｃからの熱ブロックやハロゲンヒータ２１４の電力が小さいため、加圧ローラ２周目温度は１４０℃と低くなる。よって、加圧ローラ２周目以降は、記録材第１面のトナーを再溶融する度合いが減少して光沢の上昇が小さい（光沢が変化しない）。従って、記録材第１面において、加圧ローラ１周は光沢が比較的高くなり、加圧ローラ２周目以降は光沢が比較的低くなってしまう光沢段差が発生する。
【００７８】
又、定着装置２０２において、連続通紙時の加圧ローラ２１２温度は、加圧ヒータ２１４の電力が小さいために、サーミスタ２２２で１５０℃温調としても、実温度は約１２０℃程度であるが、定着ニップ部Ｎ１における加圧ローラ２１２温度は、記録材Ｐの通紙部で記録材Ｐに熱が奪われて低温となり（約１１５℃）、記録材Ｐの紙間部で定着ローラ２１１から熱が供給されて高温となり（約１２５℃）、加圧ローラ２１２の紙間部が１周後に定着ニップ部Ｎ１で記録材第１面に接触して、画像の光沢度を高くしてしまう。従って、記録材第１面において、加圧ローラ２１２の通紙部は次の１周後に表面温度が低温のため、記録材第１面の再溶融が小さため光沢度上昇が小さい。一方、加圧ローラ２１２の紙間部は次の１周後に表面温度が高温のため、記録材１面の再溶融が大きく光沢度上昇が大きい。よって、よって、この加圧ローラ２１２の定着にニップ部Ｎ１における通紙部と紙間部で、記録材第１面の光沢が異なり、光沢段差が画像に発生して、画像品位が損なわれてしまう。
【００７９】
＜記録材第１面の加圧ローラ温起因の光沢ムラ対策＞
そこで、本実施例は、「第１画像形成装置の定着装置の加圧部材温度＞第２画像形成装置の定着装置の加圧部材温度」とすることにより、複連画像形成装置における両面プリント時の記録材第１面の光沢段差を低減するものである。
【００８０】
より具体的には、加圧部材としての加圧ローラにおいて、第１画像形成装置１０１の定着装置２０１の加圧ローラ２１２温度を１５０℃に設定して、記録材第１面の定着性を確保する。そして、第２画像形成装置１０２の定着装置２０２の加圧ローラ２１２温度を１１０℃に設定する。これにより、１枚目において、第２画像形成装置１０２の定着装置２０２の加圧ローラ２１２の１周目温度を１１０℃と低くすることにより、加圧ローラ２１２による記録材第１面の再溶融度合いを低下させ、加圧ローラ２１２の１周目の光沢の上昇を低減させることができる。加圧ローラ２周目は約１００℃に低下するが、加圧ローラ２１２温度が低温化するほど再溶融度合いが低下するので、光沢段差を低減でき、均一な光沢画像を得ることができた。
【００８１】
又、この時、連続通紙時において、第２画像形成装置１０２の定着装置２０２の加圧ローラ２１２温度は、約９５℃程度であり、記録材Ｐの通紙部で約９０℃、記録材Ｐの紙間部で約１００℃となり、通紙部と紙間部との温度差は約１０℃で同等であるが、加圧ローラ２１２温度が１００℃以下であり、トナーの再溶融度合いが非常に小さく、光沢上昇も非常に小さいので、紙間起因の記録材第１面の光沢段差をより低減でき、均一な光沢画像を得ることができた。
【００８２】
トナー材料の溶融レベルにもよるが、第２画像形成装置１０２の定着装置２０２の加圧ローラ２１２温度は、１２０℃以下、より好適には１００℃以下とすると、トナーの再溶融度合いが非常に小さくなるので、光沢ムラ（光沢段差）をより減少させることができる。従って、第２画像形成装置１０２の定着装置２０２の加圧ローラ２１２温度は、記録材第２面の定着性が確保できる範囲内で、極力低温化すると良い。
【００８３】
第２画像形成装置１０２の定着装置２０２の加圧ローラ２１２温度を、第１画像形成装置１０１の定着装置２０１の加圧ローラ２１２温度よりも低下させることによって、第２画像形成装置１０２の定着装置２０２の定着能力は、第１画像形成装置１０１の定着装置２０１の定着能力よりも低下してしまう。しかし、第２画像形成装置１０２の定着装置２０２においては、第１画像形成装置１０１の定着装置２０１で加熱され、高温の記録材が搬送されるので、第２画像形成装置１０２の定着装置２０２における記録材第２面の定着性は、第１画像形成装置１０１の記録材第１面の定着性と同等レベル以上である。
【００８４】
以上述べたように、図１の複連式画像形成装置において、「第１画像形成装置の定着装置の加圧部材温度＞第２画像形成装置の定着装置の加圧部材温度」とすることにより、両面プリント時において、記録材第１面の加圧ローラ温度段差起因の光沢ムラ（光沢段差）を低減することができ、同時に記録材第１面及び記録材第２面の定着性も確保することができた。
【００８５】
［実施例２］
実施例１では、第２画像形成装置の加圧ローラ温度を、第１画像形成装置の加圧ローラ温度よりも低温化することにより、第２画像形成装置での記録材第１面の光沢段差を低減することを説明した。
【００８６】
しかしながら、スタンバイ（待機）時は、加熱部材と加圧部材とが非接触となるように圧力を解除（脱）し、プリント時は、加熱部材と加圧部材とが所定の圧力で接触（着）して、定着ニップ部Ｎ１を形成する脱着手段を具備した定着装置を有する複連式画像形成装置において、プリント開始時に、加熱部材と加圧部材とが接触（着）して回転してから、定着ニップ部Ｎ１に記録材が搬送されるまでの時間（前回転時間１）が長いと、定着ローラ２１１が加圧ローラ２１２の温度を上昇させ、両面プリント時の１枚目で記録材第１面の光沢段差が発生してしまった。
【００８７】
これは、スタンバイ時に加圧ローラ２１２温度を低温の１１０℃に維持しても、前回転時間１が長いと、加圧ローラ２１２温度が１５０℃程度まで上昇してしまうため、加圧ローラ２１２の１周目で記録材第１面の再溶融度合いが大きくなり、光沢上昇が大きくなってしまうためである。
【００８８】
そこで、本実施例では、「第１画像形成装置の定着装置の前回転時間１＞第２画像形成装置の定着装置の前回転時間１」とすることにより、両面プリント時の１枚目における記録材第１面の光沢段差を低減する方法に関して説明する。
【００８９】
スタンバイ時において、実施例１と同様に、第１画像形成装置１０１の定着装置２０１の加圧ローラ２１２温度を１５０℃に設定し、記録材第１面の光沢段差対策のため、第２画像形成装置１０２の定着装置２０２の加圧ローラ２１２温度を１１０℃に設定する。
【００９０】
そして、本実施例では、両面プリント時において、例えば第１画像形成装置１０１の定着装置２０１の前回転時間１を１５秒に設定し、定着ニップ部Ｎ１への記録材Ｐ到達時に、加圧ローラ２１２温度が１７０℃と高温となって記録材第１面の定着性を確保する。そして、第２画像形成装置１０２の定着装置２０２の前回転時間１を３秒に設定して、定着ニップ部Ｎ１への記録材Ｐ到達時に、加圧ローラ２１２温度が１１５℃と温度上昇せずに低温を維持し、再溶融度合いを低減して、より効果的に記録材第１面の光沢段差を低減できた。
【００９１】
比較例として、第２画像形成装置１０２の定着装置２０２の前回転時間１を、定着装置２０１と同様に、１５秒に設定した場合には、定着ニップ部Ｎ１への記録材Ｐ到達時に、加圧ローラ２１２温度が１５０℃と温度上昇して、記録材第１面の再溶融度合いが大きくなって光沢段差が悪化してしまう。この時、定着ローラ２１１温度が２００℃のため、加圧ローラ２１２温度が低温の場合、定着ローラ２１１と加圧ローラ２１２との温度差が大きいため、前回転時間１が同じでも、加圧ローラ２１２温度が高温の場合よりも、前回転時間１における加圧ローラ２１２温度上昇は大きくなる。
【００９２】
第２画像形成装置１０２の定着装置２０２の前回転時間１を、第１画像形成装置１０１の定着装置２０１の前回転時間１よりも短くすることによって、第２画像形成装置１０２の定着装置２０２の加圧ローラ温度を低温に維持するため、第２画像形成装置１０２の定着装置２０２の定着能力は、第１画像形成装置１０１の定着装置２０１の定着能力よりも低くなってしまう。しかしながら、第２画像形成装置１０２の定着装置２０２においては、第１画像形成装置１０１の定着装置２０１で加熱され、高温の記録材Ｐが搬送されるので、第２画像形成装置１０２の定着装置２０２における記録材第２面の定着性は、第１画像形成装置１０１の記録材第１面の定着性と同等レベル以上である。
【００９３】
なお、本実施例では、定着ローラ２１１と加圧ローラ２１２が脱着機構を有する定着装置に関して説明したが、スタンバイ時に定着ローラ２１１の回転駆動を停止している構成であれば、定着ローラ２１１と加圧ローラが脱着機構を有しない構成においても、本実施例を同様に適用することができる。この場合の前回転時間１は、定着ローラ２１１が回転駆動開始から、定着ニップ部Ｎ１に記録材が搬送されるまでの時間（前回転時間１）とすれば良い。定着ローラ２１１と加圧ローラ２１２が脱着機構を有する定着装置は、スタンバイ時や電源ＯＦＦ時に定着ローラ２１１と加圧ローラ２１２が非接触状態のため、脱着機構を有しない定着装置における長時間加圧によるローラの弾性層２１１ｂ（２１２ｂ）の変形による画像の光沢ムラの発生を防止できるので、より好適である。
【００９４】
以上述べたように、図１の複連式画像形成装置において、「第１画像形成装置の定着装置の前回転時間１＞第２画像形成装置の定着装置の前回転時間１」とすることにより、両面プリント時の前回転時間１において、第２画像形成装置の定着装置の加圧ローラ温度上昇を低減して、記録材第１面の加圧ローラ温度段差起因の光沢段差をより効果的に低減することができ、同時に記録材第１面及び記録材第２面の定着性も充分に確保することができた。
【００９５】
［実施例３］
実施例１及び実施例２では、図４で示すような加圧ローラ２１２内部にハロゲンヒータ２１４を配置した定着装置構成における記録材第１面の光沢段差を低減する方法に関して説明したが、本実施例では、加圧ローラ２１２内部にハロゲンヒータ２１４を配置しない定着装置構成に関して説明する。
【００９６】
図６は、実施例３に係る定着装置２０１（２０２）の概略構成図である。
本実施例の図６で示す定着装置は、実施例１の図４で示す定着装置とほぼ同構成であるが、加圧ローラ２１２内部にハロゲンヒータが配置されていない点で異なる。
【００９７】
図６で示す定着装置２０１（２０２）の加圧ローラ２１２は、画像形成装置の電源ＯＮ時の立上げ時に、定着ローラ２１１と加圧ローラ２１２とを圧接回転させて加圧ローラ２１２を加熱しても、スタンバイ時には加熱されないため、約４０〜６０℃程度の低温となってしまう。従って、プリント時の前回転時間１でも、加圧ローラ２１２温度は、高くても１００℃程度にしか温度上昇しないため、両面プリント時の記録材第１面におけるトナー再溶融が発生しにくいので、光沢段差が発生しにくく、光沢ムラが発生しても非常に軽微であり、記録材第１面の光沢ムラは問題とならない。
【００９８】
しかしながら、本実施例の図６で示す定着装置の両面プリント時において、記録材第１面の光沢が低く、記録材第２面の光沢が高いという記録材表裏の光沢差の問題が発生してしまう。
【００９９】
これは、第１画像形成装置１０１の定着装置２０１においては、低温（室温）の記録材Ｐを定着するため、記録材第１面の光沢（≒定着性）が比較的低くなる。一方、第２画像形成装置１０２の定着装置２０２においては、定着装置２０１で加熱され、高温の記録材Ｐを定着するため、記録材第２面の光沢（≒定着性）が比較的高くなるために発生する問題である。特に、室温が冬場等の低温環境で、記録材Ｐが低温となる条件で顕著に発生し易い。
【０１００】
そこで、本実施例は、「第１画像形成装置の定着装置の加熱部材温度＞第２画像形成装置の定着装置の加熱部材温度」とすることにより、両面プリント時の記録材第１面と記録材第２面との光沢差（≒定着性差）を低減するものである。
【０１０１】
より具体的には、加熱部材としての定着ローラにおいて、第１画像形成装置１０１の定着装置２０１の定着ローラ２１１温度を例えば２００℃に設定して、記録材第１面の定着性を確保する。そして、第２画像形成装置１０２の定着装置２０２の定着ローラ２１１温度を、記録材第１面と記録材第２面の定着性が同等となるように、即ち記録材第１面と記録材第２面の光沢が同等となるように、例えば１９５℃に設定する。このように、記録材第１面と記録材第２面の定着性、及び光沢が同等となるように、第２画像形成装置１０２の定着装置２０２の定着ローラ２１２温度を、第１画像形成装置１０１の定着装置２０２の定着ローラ温度よりも低く設定することにより、記録材第１面と記録材第２面との光沢をほぼ同一として、光沢差を低減できる。
【０１０２】
なお、記録材第１面と記録材第２面の光沢差は、熱容量の大きい厚紙や光沢が高い平滑紙、及びグロスコート紙でより顕著に発生し易いので、第１画像形成装置１０１の定着装置２０１の定着ローラ２１１温度と第２画像形成装置１０２の定着装置２０２の定着ローラ２１１温度との温度差は、記録材種類に応じて、可変とするような構成とするとより好適である。
【０１０３】
又、本実施例の記録材第１面と記録材第２面との光沢差は、図４で示すような加圧ローラ２１１内部にハロゲンヒータ２１４を配置した定着装置においても同様に発生する。
【０１０４】
ただし、実施例１及び実施例２の定着装置においては、「第１画像形成装置の定着装置の加圧部材温度＞第２画像形成装置の定着装置の加圧部材温度」とすることにより、第２画像形成装置１０２の定着装置２０２の定着能力を低下させ、記録材第２面の光沢（≒定着性）を低下させる方向であるため、両面プリント時において、記録材第１面の光沢段差を低減するのみではなく、本実施例で問題としている記録材第１面と記録材第２面の光沢差も低減できる。
【０１０５】
従って、図４で示すような加圧ローラを加熱する定着装置構成においても、本実施例を適用することにより、記録材第１面と記録材第２面との光沢差を、より低減することができる。
【０１０６】
以上述べたように、図１の複連式画像形成装置において、「第１画像形成装置の定着装置の加熱部材温度  ＞  第２画像形成装置の定着装置の加熱部材温度」とすることにより、両面プリント時の記録材第１面と記録材第２面とにおいて、光沢差を低減して、定着性及び光沢がほぼ同等の高品質な両面プリント画像を得ることができる。
【０１０７】
［実施例４］
実施例３では、第２画像形成装置の定着ローラ温度を、第１画像形成装置の定着ローラ温度よりも低温化することにより、記録材第１面と記録材第２面との光沢差を低減することを説明した。本実施例では、定着ローラを外部から加熱する外部加熱ローラを付加した定着装置構成において、「第１画像形成装置の定着装置の外部加熱部材温度  ＞  第２画像形成装置の定着装置の外部加熱部材温度」とすることにより、記録材第１面と記録材第２面との光沢差を低減する方法に関して説明する。
【０１０８】
図７は、実施例４に係る定着装置２０１（２０２）の概略構成図である。
【０１０９】
本実施例の図７で示す定着装置は、実施例３の図６で示す定着装置とほぼ同構成であるが、定着ローラ２１１を外部から加熱する外部加熱ローラ２１５を配置している点で異なる。
【０１１０】
図７で示す外部加熱ローラ２１５は、不図示の加圧機構により定着ローラ２１１に圧接して外部加熱ニップ部Ｎ２を形成し、駆動回転する定着ローラ２１１とともに従動回転される。
【０１１１】
図７に示す外部加熱ローラ２１５は、外径３０ｍｍ、厚み３ｍｍ、長さ３５０ｍｍの円筒状金属製（本実施例ではアルミニウム製）の芯金上に、トナーとの離型性向上のため、耐熱性の離型層としてフッ素樹脂（本実施例ではＰＦＡチューブ）が１００μｍの厚さで被覆されている。
【０１１２】
又、外部加熱ローラ２１５の芯金内部には、発熱体として、例えば定格電力８００Ｗのハロゲンヒータ２１６が配置され、外部加熱ローラ２１５の表面温度が所定の目標温度となるように加熱されている。
【０１１３】
外部加熱ローラ２１５の表面温度は、外部加熱ローラ２１５における定着ニップ部Ｎ１の通紙部に対応する部位（通紙対応部）の温度検知手段としてのサーミスタ２２３によって検出される。そして、この検出温度に基づいて、制御手段１３０によりハロゲンヒータ２１６をＯＮ／ＯＦＦ制御することで、所定の目標温度、例えば２３０℃に温度制御される。
【０１１４】
外部加熱ローラ２１５は、定着ニップ部Ｎ１を通過した定着ローラ２１１の領域を加熱して、定着ニップ部Ｎ１の記録材通過にともなう定着ローラ２１１の温度低下を低減して、定着ローラ２１１を所定温度に安定して維持し、定着性及び光沢を安定して維持するための補助部材である。
【０１１５】
しかしながら、図７で示すような外部加熱ローラを用いた定着装置において、実施例３の「第１画像形成装置の定着装置の加熱部材温度  ＞  第２画像形成装置の定着装置の加熱部材温度」として、記録材第１面と記録材第２面との光沢差を低減する構成としても、外部加熱ローラ２１５によって定着ローラ２１１が加熱されるため、第２画像形成装置１０２の定着装置２０２の定着ローラ２１１温度が設定温度まで低下せずに、記録材第１面と記録材第２面の光沢差を低減する効果が少ないという問題が発生した。
【０１１６】
そこで、本実施例は、「第１画像形成装置の定着装置の外部加熱部材温度  ＞  第２画像形成装置の定着装置の外部加熱部材温度」とすることにより、外部加熱系の定着装置において、両面プリント時の記録材第１面と記録材第２面との光沢差を低減するものである。
【０１１７】
より具体的には、まず、加熱部材としての定着ローラにおいて、第１画像形成装置１０１の定着装置２０１の定着ローラ２１１温度を２００℃に設定して、記録材第１面の定着性を確保する。そして、第２画像形成装置１０２の定着装置２０２の定着ローラ２１１温度を、記録材第１面と記録材第２面の定着性及び光沢が同等となるように、１９５℃に設定する。
【０１１８】
本実施例では、外部加熱部材としての外部加熱ローラにおいて、第１画像形成装置１０１の定着装置２０１の外部加熱ローラ２１５温度を２３０℃に設定して、低温の記録材Ｐが搬送されることによって定着ローラ２１１温度が低下することを防止して、定着ローラ２１１温度を２００℃に安定して維持し、記録材第１面の定着性及び光沢を確保する。そして、第２画像形成装置１０２の定着装置２０２の外部加熱ローラ２１５温度を２２０℃に設定して、定着ローラ２１１温度を１９５℃に安定して維持して、記録材第２面の定着性及び光沢を、記録材第１面とほぼ同等にする。
【０１１９】
ここで、第１画像形成装置で加熱された高温の記録材Ｐが第２画像形成装置１０２の定着装置２０２に搬送されるため、記録材通過にともなう定着ローラ２１１の温度低下が小さいので、第１画像形成装置１０１よりも低温の外部加熱ローラ温度により、第２画像形成装置１０２の定着装置２０２の定着ローラ２１１温度は、１９５℃に安定して維持できる。
【０１２０】
比較例として、第２画像形成装置１０２の定着装置２０２の外部加熱ローラ２１５温度が第１画像形成装置１０１の定着装置２０１の外部加熱ローラ２１５温度と同一の２３０℃の場合には、定着ローラ２１１温度を１９５℃に設定しても２００℃程度まで温度上昇してしまい、記録材第１面と記録材第２面との光沢差が低減しない場合が発生してしまった。
【０１２１】
これは、第２画像形成装置の定着装置２０２には、高温の記録材Ｐが搬送されるため、定着ローラ２１１温度低下が小さいにもかかわらず、第１画像形成装置と同等の外部加熱ローラ２１５温度として、同等の熱量を定着ローラ２１１に付与するために、第２画像形成装置１０２の定着装置２０２の定着ローラ２１１温度が上昇してしまうためである。よって、比較例の第２画像形成装置１０２において、連続通紙枚数がかなり進んで、定着ローラ２１１のハロゲンヒータ２１３がＯＦＦされ、芯金２１１ａが十分低温化した後、ようやく定着ローラ２１１温度が１９５℃に安定して維持できるようになる。
【０１２２】
本実施例のように、第２画像形成装置１０２の定着装置２０２の外部加熱ローラ２１５温度を２２０℃と低温化した場合には、定着ローラ２１１温度を１９５℃に設定すると、安定して１９５℃に維持することができ、記録材第１面と記録材第１面との光沢差を低減することができた。このように、記録材第１面と記録材第２面の定着性及び光沢が同等となるように、第２画像形成装置１０２の定着装置２０２の定着ローラ２１２温度及び外部加熱ローラ２１５温度を、第１画像形成装置１０１の定着装置２０２の定着ローラ２１２温度及び外部加熱ローラ２１５温度よりも低く設定することにより、第２画像形成装置１０２の定着装置２０２の定着ローラ２１１温度を安定して所望の温度に維持できるので、記録材第１面と記録材第２面との光沢を、ほぼ同一とすることができた。
【０１２３】
なお、記録材第１面と記録材第２面の光沢差は、熱容量の大きい厚紙や光沢度が高い平滑紙、及びグロスコート紙でより顕著に発生し易いので、第１画像形成装置１０１の定着装置２０１の外部加熱ローラ２１５温度と第２画像形成装置１０２の定着装置２０２の外部加熱ローラ２１５温度との温度差は、記録材種類に応じて可変とする構成とすると、より好適である。
【０１２４】
又、第２画像形成装置１０２の定着装置２０２の外部加熱ローラ２１５温度を低下させ過ぎると、定着ローラ２１１の設定温度よりも低下してしまい、逆に、記録材第１面よりも記録材第２面の定着性及び光沢が低下してしまうことが発生する場合もある。従って、第２画像形成装置１０２の定着装置２０２の外部加熱ローラ２１５温度は、定着ローラ２１１の設定温度を安定して維持できるように、第１画像形成装置１０１の定着装置２０１の外部加熱ローラ２１５温度よりも適度に低下させるのが良い。
【０１２５】
以上述べたように、図１の複連式画像形成装置において、「第１画像形成装置の定着装置の外部加熱部材温度  ＞  第２画像形成装置の定着装置の外部加熱部材温度」とすることにより、両面プリント時の記録材第１面と記録材第２面とにおいて、より効果的に光沢差を低減して、定着性及び光沢がほぼ同等の高品質な両面プリント画像を得ることができる。
【０１２６】
［実施例５］
実施例４では、第２画像形成装置の外部加熱ローラ温度を、第１画像形成装置の外部加熱ローラ温度よりも低温化することにより、記録材第１面と記録材第２面との光沢差を低減することを説明した。
【０１２７】
しかしながら、スタンバイ（待機）時は、加熱部材と外部加熱部材とが非接触となるように圧力を解除（脱）し、プリント時は、加熱部材と外部加熱部材とが所定の圧力で接触（着）して、外部加熱ニップ部Ｎ２を形成する脱着手段を具備した定着装置を有する複連式画像形成装置において、プリント開始時に、加熱部材と外部加熱部材とが接触（着）して回転してから、定着ニップ部Ｎ１に記録材が搬送されるまでの時間（前回転時間２）が長いと、外部加熱ローラ２１５が定着ローラ２１１の温度を上昇させてしまい、両面プリント時の特に１枚目で記録材第１面と記録材第２面の光沢差が発生してしまった。
【０１２８】
これは、スタンバイ時に第２画像形成装置１０２の定着装置２０２の定着ローラ２１１温度を１９５℃に維持しても、前回転時間２が長いと、定着ローラ２１１温度が２００℃程度まで上昇してしまうため、記録材第２面の定着性が向上して、光沢が上昇してしまうためである。
【０１２９】
そこで、本実施例では、「第１画像形成装置の定着装置の前回転時間２＞第２画像形成装置の定着装置の前回転時間２」とすることにより、記録材第１面と記録材第２面との光沢差を低減する方法に関して説明する。
【０１３０】
より具体的には、まず、加熱部材としての定着ローラにおいて、第１画像形成装置１０１の定着装置２０１の定着ローラ２１１温度を２００℃、外部加熱ローラ２１５温度を２３０℃に設定して、記録材第１面の定着性を確保する。そして、第２画像形成装置１０２の定着装置２０２の定着ローラ２１１温度を１９５℃、外部加熱ローラ温度を２２０℃に設定して、記録材第１面と記録材第２面の光沢差を低減させる。
【０１３１】
本実施例では、第１画像形成装置１０１は、定着装置２０１の前回転時間２を１５秒に設定して、定着ニップ部Ｎ１への記録材Ｐ到達時に、定着ローラ２１１温度が２０８℃と高温となって記録材第１面の定着性及び光沢度を確保する。そして、第２画像形成装置１０２は、定着装置２０２の前回転時間２を３秒に設定して、定着ニップ部Ｎ１への記録材Ｐ到達時に、定着ローラ２１１温度が１９７℃と温度上昇を抑えて、記録材第２面の定着性及び光沢の上昇を低減して、より効果的に記録材第１面と記録材第２面の光沢差を低減できた。
【０１３２】
比較例として、第２画像形成装置１０２の定着装置２０２の前回転時間２を、第１画像形成装置１０１の定着装置２０１と同様に、１５秒に設定した場合には、定着ニップ部Ｎ１への記録材Ｐ到達時に、定着ローラ２１１温度が２００℃と温度上昇して、記録材第２面の定着性及び光沢が上昇して、記録材第２面の光沢が比較的に高くなってしまい、記録材第１面の光沢が比較的に低いため、光沢差が発生してしまった。
【０１３３】
これは、外部加熱ローラ２１５は、定着ニップ部Ｎ１に記録材が通過することによる定着ローラ２１１の温度低下を防止するためのものであるため、定着ニップ部Ｎ１に記録材が通過しない前回転においては、定着ローラ２１１の表面温度を設定温度以上に上昇させてしまうためである。
【０１３４】
本実施例によると、前回転時において、第２画像形成装置１０２の定着装置２０２の定着ローラ２１１温度上昇を低減して、設定温度に安定して維持するため、記録材第２面の光沢の上昇を低減できるので、第２画像形成装置１０２の定着装置２０２の定着能力は、第１画像形成装置１０１の定着装置２０１の定着能力よりも低下してしまう。しかしながら、第２画像形成装置１０２の定着装置２０２においては、第１画像形成装置１０１の定着装置２０１で加熱され、高温の記録材Ｐが搬送されるため、第２画像形成装置１０２の定着装置２０２における記録材第２面の定着性は、第１画像形成装置１０１の定着装置２０１における記録材第１面の定着性及び光沢とほぼ同等レベルである。
【０１３５】
なお、記録材第１面と記録材第２面の光沢差は、熱容量の大きい厚紙や光沢度が高い平滑紙、及びグロスコート紙でより顕著に発生し易いので、第１画像形成装置１０１の定着装置２０１の前回転時間２と第２画像形成装置１０２の定着装置２０２の前回転時間２との時間差は、記録材種類に応じて可変とする構成とすると、より好適である。
【０１３６】
又、本実施例では、定着ローラ２１１と外部加熱ローラ２１５が脱着機構を有する定着装置に関して説明したが、スタンバイ時に定着ローラ２１１の回転駆動を停止している構成であれば、定着ローラ２１１と外部加熱ローラ２１５が脱着機構を有しない構成においても、本実施例を同様に適用することができる。この場合の前回転時間２は、定着ローラ２１１が回転駆動開始から、定着ニップ部Ｎ１に記録材が搬送されるまでの時間とすれば良い。
【０１３７】
定着ローラ２１１と外部加熱ローラ２１５が脱着機構を有する定着装置は、スタンバイ時や電源ＯＦＦ時に定着ローラ２１１と外部加熱ローラ２１５が非接触状態のため、脱着機構を有しない定着装置における長時間加圧によるローラの弾性層２１１ｂの変形による画像の光沢ムラや、外部加熱ローラ２１５と定着ローラ２１１との接触部と非接触部の温度ムラによる画像の光沢ムラの発生を防止できるので、より好適である。
【０１３８】
以上述べたように、図１の複連式画像形成装置において、「第１画像形成装置の定着装置の前回転時間２＞第２画像形成装置の定着装置の前回転時間２」とすることにより、両面プリント時の前回転時間２において、第２画像形成装置の定着装置の定着ローラ温度上昇を低減して、記録材第１面と記録材第２面との光沢差をより効果的に低減することができ、同時に記録材第１面及び記録材第２面の定着性も充分に確保することができた。
【０１３９】
以上、本発明の実施例に関して説明したが、本発明の実施例における諸数値や概略図は、実施例の説明を簡略化するための一例であって、複連式画像形成装置や定着装置の構成、及び設定等に応じて任意に定めることができる
又、本発明は、実施例で説明した定着装置に限定されるものではなく、各実施例を任意に組み合わせる等、他の形態の複連式画像形成装置にも適用できる。
【０１４０】
例えば、本発明の実施例で説明した定着装置では、定着ローラ、加圧ローラ及び外部加熱ローラで説明したが、定着ベルト、加圧ベルト、外部加熱ベルト等の他の定着装置構成にも適用することができる。又、発熱体においても、本発明の実施例で説明した定着装置では、ハロゲンヒータで説明したが、ＩＨ（電磁誘導加熱）方式や、面状発熱ヒータ等の他の発熱体構成にも適用することができる。
【符号の説明】
【０１４１】
１０１−第１画像形成装置
１０２−第２画像形成装置
１３０−定着制御手段
２０１−第１定着装置
２０２−第２定着装置
２１１−定着ローラ
２１２−加圧ローラ
２１３−定着ローラ用ハロゲンヒータ
２１４−加圧ローラ用ハロゲンヒータ
２１５−外部加熱ローラ
２１６−外部加熱用ハロゲンヒータ
２２１／２２２／２２３−温度検知素子（サーミスタ）
３０１／３０２−リレーユニット
Ｎ１−定着ニップ部
Ｎ２−外部加熱ニップ部
Ｋ−トナー
Ｐ−記録材
【図１】
2012098654.tif 000003
【図２】
2012098654.tif 000004
【図３】
2012098654.tif 000005
【図４】
2012098654.tif 000006
【図５】
2012098654.tif 000007
【図６】
2012098654.tif 000008
【図７】
2012098654.tif 000009